(57)【要約】【課題】  片手で操作可能な引き込み式安全注射器を提供する。【解決手段】  主にシリンダ、針ヘッド、ピストンを含む。該シリンダの後端には異なる方向に全面的に延伸する底辺を設置し、該針ヘッドは該シリンダ前端に結合し、該針ヘッド後端には第一取外し部を設置し、該ピストンは該シリンダ内部に収容され、該ピストン前端には第二取外し部を設置し、該第一取外し部と嵌接し、該ピストン後端には端面を設置する。これにより、二本の指を該シリンダの底辺に掛け、別の指で該ピストンを押し注射を行い、注射の完了後は、二本の指で該ピストンの後端面を押さえ、次に別の指で該シリンダ外側に延伸する底辺を押し、こうして、該ピストンは該シリンダに相対し移動し、該ピストンを後方へと引く作用を達成する。【選択図】図２
2005270282.tif 000002
【特許請求の範囲】
【請求項１】
片手で操作可能な引き込み式安全注射器は主にシリンダ、針ヘッド、ピストンを含み、
該シリンダの後端には異なる方向に全面的に延伸する底辺を設置し、
該針ヘッドは該シリンダ前端に結合し、該針ヘッド後端には第一取外し部を設置し、
該ピストンは該シリンダ内部に収容され、該ピストン前端には第二取外し部を設置し、該第一取外し部と嵌接し、該ピストン後端には端面を設置し、
これにより、二本の指を該シリンダの底辺に掛け、別の指で該ピストンを押し注射を行い、
注射の完了後は、二本の指で該ピストンの後端面を押さえ、次に別の指で該シリンダ外側に延伸する底辺を押し、こうして、該ピストンは該シリンダに相対し移動し、該ピストンを後方へと引く作用を達成することを特徴とする片手で操作可能な引き込み式安全注射器。
【請求項２】
前記片手で操作可能な引き込み式安全注射器のシリンダ後端の底辺は円形環状であることを特徴とする請求項１記載の片手で操作可能な引き込み式安全注射器。
【請求項３】
前記片手で操作可能な引き込み式安全注射器のシリンダ後端の底辺は多辺形の環状であることを特徴とする請求項１記載の片手で操作可能な引き込み式安全注射器。
【請求項４】
前記片手で操作可能な引き込み式安全注射器のシリンダ後端の底辺は六角形の環状であることを特徴とする請求項１記載の片手で操作可能な引き込み式安全注射器。
【請求項５】
片手で操作可能な引き込み式安全注射器は主にシリンダ、針ヘッド、ピストンを含み、
該シリンダの後端底辺は少なくとも三個の異なる方向に延伸する翼部を設置し、
該針ヘッドは該シリンダ前端に結合し、該針ヘッド後端には第一取外し部を設置し、
該ピストンは該シリンダ内部に収容され、該ピストン前端には第二取外し部を設置し、該第一取外し部と嵌接し、該ピストン後端には端面を設置し、
これにより、二本の指を該シリンダの底辺に掛け、別の指で該ピストンを押し注射を行い、
注射の完了後は、二本の指で該ピストンの後端面を押さえ、次に別の指で該シリンダ外側に延伸する底辺を押し、こうして、該ピストンは該シリンダに相対し移動し、該ピストンを後方へと引く作用を達成することを特徴とする片手で操作可能な引き込み式安全注射器。
【請求項６】
前記片手で操作可能な引き込み式安全注射器のシリンダ後端の翼部は等間隔に排列されその底辺を形成することを特徴とする請求項５記載の片手で操作可能な引き込み式安全注射器。
【請求項７】
前記片手で操作可能な引き込み式安全注射器のシリンダ後端の底辺は６個の異なる方向に延伸する翼部を含むことを特徴とする請求項５記載の片手で操作可能な引き込み式安全注射器。
【請求項８】
前記片手で操作可能な引き込み式安全注射器の針ヘッドは標準針、転接ヘッドを含み、
該標準針は取外し可能な状態で該転接ヘッド上に結合し、該転接ヘッドの形状は前記針ヘッドの後端と同様で、前記第一取外し部は該転接ヘッド上に結合することを特徴とする請求項１、或いは５記載の片手で操作可能な引き込み式安全注射器。
【発明の詳細な説明】
【技術分野】
【０００１】
本発明は、一種の片手で操作可能な引き込み式安全注射器の技術分野に属する。特に一種の注射液の吸込み、或いは注射においてピストンの押し引きが片手で簡単に操作可能で、医療用途に適した安全注射器に係る。
【背景技術】
【０００２】
図１に示すように、公知の引き込み式安全注射器１はシリンダ２、翼部３、注射針ヘッド４、ピストン５、端面６を含む。
該シリンダ２の底端には相互に対称的な形状の該翼部３を設置し、該シリンダ２前端において該注射針ヘッド４を接続する。また、該ピストン５は該シリンダ２内において前後に移動し、該ピストン５の後端には該端面６を形成し、押し引き操作の便を図る。
現在業界では、安全注射器の使用において、片手使用の利便性が非常に重視されている。
上記の公知安全注射器１を片手で使用しようとするなら、操作時、一般的には二本の指を該シリンダ２の翼部３に掛け、別の一本の指は該ピストン５を押し込み注射を完了する。注射完了後は、二本の指で該ピストン５後端の端面６を押さえ、別の指で該シリンダ２外側に延伸する翼部３を押し、該ピストン５を該シリンダ２に相対し移動させ、該ピストン５を後方へと引き込む。
しかし該翼部３の両側は外側へと張り出し、中央は内側へと収縮しているため、指で押す時、両側の翼部３を正確に押さなければならない。そのため時には、シリンダを回転し角度を変える必要も生じる。
【発明の開示】
【発明が解決しようとする課題】
【０００３】
公知の安全注射器において片手操作を行う場合には、シリンダ翼部の方向性において制限があるため非常に不便である。
本発明は上記構造の問題点を解決した片手で操作可能な引き込み式安全注射器を提供するものである。
【課題を解決するための手段】
【０００４】
上記課題を解決するため、本発明は下記の片手で操作可能な引き込み式安全注射器を提供する。
それは主にシリンダ後端に異なる方向に全方位的に延伸した底辺を具え、使用者は片手でピストンの押し引きを行うことができ、注射液の吸込み、或いは注射の利便性を向上させることができる。
すなわち、本発明は主にシリンダ、針ヘッド、ピストンを含み、該シリンダの後端には異なる方向に全面的に延伸する底辺を設置し、該針ヘッドは該シリンダ前端に結合し、該針ヘッド後端には第一取外し部を設置し、該ピストンは該シリンダ内部に収容され、該ピストン前端には第二取外し部を設置し、該第一取外し部と嵌接し、該ピストン後端には端面を設置し、これにより、二本の指を該シリンダの底辺に掛け、別の指で該ピストンを押し注射を行い、注射の完了後は、二本の指で該ピストンの後端面を押さえ、次に別の指で該シリンダ外側に延伸する底辺を押し、こうして、該ピストンは該シリンダに相対し移動し、該ピストンを後方へと引く作用を達成することを特徴とする片手で操作可能な引き込み式安全注射器である。
【発明の効果】
【０００５】
上記のように、本発明のシリンダ底辺は全面的或いは全面的に近い状態で外部へと向かい延伸するため、医療スタッフは片手でシリンダを押し引きすることができる。また、医療スタッフが片手での注射或いはシリンダを引き戻すことに慣れているなら、各指間は一定の操作距離を具えるため、両手で過剰な力を加えることによりピストン及び針ヘッドがシリンダ外部に引き出されてしまうという自体の発生を防止することができる。
【発明を実施するための最良の形態】
【０００６】
図２、３に示すように、本発明の片手で操作可能な引き込み式安全注射器１０の第一実施例では、主にシリンダ２０、針ヘッド３０、ピストン４０を含む。
該シリンダ２０は中空の円筒で、その前端２１内壁には針を結合することができ、該シリンダ２０の後端には該円筒の軸芯と垂直かつ異なる方向に全方位的に延伸する底辺２２を設置する。該底辺２２は六角形の環状板体である。
該針ヘッド３０は該シリンダ２０前端２１の壁中に結合し、その前端には中空の注射針体３１を具え、後端には第一取外し部３２を設置する。
該ピストン４０は該シリンダ２０内部に収容可能で、該ピストン４０前端には第二取外し部４１を設置し、該第一取外し部３２と嵌接する。該ピストン４０後端には軸芯と垂直に外部に延伸する端面４２を設置する。
【０００７】
次に図４〜７に示すように、本発明の操作時には、薬指と中指を該シリンダ２０の底辺２２に掛け、親指で該ピストン４０の後端面４２を押す。こうして該ピストン４０を押し注射を行う。
注射の完了後は、薬指と中指の腹で該ピストン４０の後端面４２押さえ、次に親指で該シリンダ２０外側に延伸する底辺２２を押す。こうして、該ピストン４０は該シリンダ２０に相対し移動し、該ピストン４０を後方へと引くことができる。
【０００８】
続いて図８に示すように、本発明の片手で操作可能な引き込み式安全注射器１の第二実施例では、該シリンダ２０後端の底辺５０は円形の環状板体であり、同じく全方位的に外部へと延伸し、本発明の目的を達成することができる。
続いて図８に示すように、本発明の第三実施例では、該シリンダ２０後端の底辺６０は６個の異なる方向へと延伸する翼部６１を含む。該翼部６１は等間隔方式で環状に排列し、数個の翼部６１はまた接近し全面的に外部へと延伸する。こうして、方向において制限を受ける公知の翼部の欠点を改良することができる。
本発明のシリンダ２０後端の底辺２２、５０、６０は異なる方向へと延伸するため、直接机上に置く時には該注射器１０はある角度に傾斜する。しかし、本発明では注射前には蓋体(図示なし)により該針ヘッド３０を蓋合し、注射後は、該針ヘッド３０は該シリンダ２０内に引き戻されるため、傾斜による問題は発生しない。
【０００９】
続いて図１０に示すように、本発明のシリンダ２０後端の六角形環状底辺２２は交換可能標準針７１を具えた針ヘッド７０に適用することもできる。該針ヘッド７０は標準針７１、転接ヘッド７２を含み、該標準針７１は取外し可能な状態で該転接ヘッド７２結合する。該転接ヘッド７２の形状は上記針ヘッド７０の後端と同様で、上記の第一取外し部３２は該転接ヘッド７２上に結合する。
また、上記の第二及び第三実施例の異なる底辺５０、６０も、本応用例の安全注射器１０上に適用することができる。
【図面の簡単な説明】
【００１０】
【図１】公知の安全注射器ベースの立体図である。
【図２】本発明第一実施例の立体図である。
【図３】本発明第一実施例の立体分解図である。
【図４】本発明第一実施例の組合せ断面図である。
【図５】本発明の注射時の使用状態図である。
【図６】本発明のピストンを引き出した時の使用状態図である。
【図７】本発明のピストンを引き出した時の組合せ断面図である。
【図８】本発明第二実施例の立体図である。
【図９】本発明第三実施例の立体図である。
【図１０】本発明の別種の応用例の組合せ断面図である。
【符号の説明】
【００１１】
１  注射器
２  シリンダ
３  翼部
４  注射針ヘッド
５  ピストン
６  端面
１０  片手で操作可能な引き込み式安全注射器
２０  シリンダ
２１  シリンダ前端
２２  底辺
５０  底辺
６０  底辺
３０  針ヘッド
７０  針ヘッド
３１  針体
３２  第一取外し部
４０  ピストン
４１  第二取外し部
４２  端面
６１  翼部
７１  標準針
７２  転接ヘッド
【図１】
2005270282.tif 000003
【図２】
2005270282.tif 000004
【図３】
2005270282.tif 000005
【図４】
2005270282.tif 000006
【図５】
2005270282.tif 000007
【図６】
2005270282.tif 000008
【図７】
2005270282.tif 000009
【図８】
2005270282.tif 000010
【図９】
2005270282.tif 000011
【図１０】
2005270282.tif 000012